(57)【要約】【課題】  補強板で床パン本体を補強でき、尚且つリブ部と補強板の接触部分から異音が発生することを防止し、また床パン上の騒音が階下に伝わることを防止できる床パンを提供する。【解決手段】  合成樹脂製の床パン本体１の下面から下方に突出するリブ部５を複数形成する。これら複数のリブ部５の下面側にリブ部５間に架け渡すように金属製の補強板２０を配置する。補強板２０に下方から挿通した複数のビス１９を各リブ部５に形成した固着部７に固着してリブ部５に補強板２０を取付ける。各リブ部５と補強板２０の間に緩衝材２３を介在させる。【選択図】        図１
2006348703.tif 000002
【特許請求の範囲】
【請求項１】
合成樹脂製の床パン本体の下面から下方に突出するリブ部を複数形成し、これら複数のリブ部の下面側にリブ部間に架け渡すように金属製の補強板を配置し、補強板に下方から挿通した複数のビスを各リブ部に形成した固着部に固着してリブ部に補強板を取付けた床パンにおいて、各リブ部と補強板の間に緩衝材を介在させて成ることを特徴とする床パン。
【請求項２】
上記リブ部を長尺に形成し、該リブ部に上記固着部をリブ部の長手方向に間隔を介して複数形成し、上記緩衝材を長尺な帯状に形成し、該長尺帯状の緩衝材を前記リブ部の複数の固着部に亘るように該リブ部の長手方向に沿って配置したことを特徴とする請求項１に記載の床パン。
【請求項３】
床パン本体の下面にリブ部として複数の縦リブ部と複数の横リブ部を交差させて形成して平面視格子状のリブとし、該平面視格子状のリブの任意の箇所に切欠部を形成し、該切欠部を介して平面視格子状のリブによって形成される矩形状空間を連続させ、これら切欠部を介して連続する複数の矩形状空間で収納空間を形成し、収納空間に各矩形状空間に収納される部分と切欠部に収納される部分とを連続して一体に設けた床暖房装置を収納し、上記補強板をリブの切欠部を含めた収納空間を構成する部位の下側に配設して成ることを特徴とする請求項１又は請求項２に記載の床パン。
【請求項４】
上記リブ部の固着部の下面にビス穴を形成し、該ビス穴に接着剤を注入し、該接着剤を注入したビス穴に上記ビスを螺着したことを特徴とする請求項１〜３のいずれかに記載の床パン。
【発明の詳細な説明】
【技術分野】
【０００１】
本発明は床パン本体の下面に形成したリブ部の下面側に補強板を配設した床パンに関する。
【背景技術】
【０００２】
従来から知られている床パンとしては例えば特許文献１に示すように補強のために合成樹脂製の床パン本体の下面に格子状のリブを一体に形成したものがある。
【０００３】
上記リブは合成樹脂で形成されて強度が弱いため、特許文献１にあっては格子状のリブの下面に金属製の補強板を固着し、これにより床パン本体を更に補強している。この補強板は厚みが薄いので、アジャスタボルトを備えた脚部を介して床面に設置される床パンから床面までの空間を広くすることができて、床パンの下方に配設される配管や脚部の施工を容易にでき、またこの補強板と床パンの間に断熱空間を形成できて高い断熱性が得られるという利点もある。
【０００４】
しかし上記床パンにあっては床パン本体のリブの下面に直接補強板を固着しているため、床パン上で入浴者が体を洗ったり歩いたりした際に床パンが振動して、リブと補強板の接触部分から異音が発生する。また床パン上の騒音がリブ及び金属板を介して階下に伝わるといった欠点がある。
【特許文献１】特開２００３−２７８２０７号公報
【発明の開示】
【発明が解決しようとする課題】
【０００５】
本発明は上記従来の問題点に鑑みて発明したものであって、補強板で床パン本体を補強でき、尚且つリブ部と補強板の接触部分から異音が発生することを防止し、また床パン上の騒音が階下に伝わることを防止できる床パンを提供することを課題とする。
【課題を解決するための手段】
【０００６】
上記課題を解決するために本発明に係る床パンは、合成樹脂製の床パン本体１の下面から下方に突出するリブ部５を複数形成し、これら複数のリブ部５の下面側にリブ部５間に架け渡すように金属製の補強板２０を配置し、補強板２０に下方から挿通した複数のビス１９を各リブ部５に形成した固着部７に固着してリブ部５に補強板２０を取付けた床パンにおいて、各リブ部５と補強板２０の間に緩衝材２３を介在させて成ることを特徴とする。この構成により、補強板２０で床パン本体１を補強できるのは勿論、緩衝材２３により補強板２０とリブ部５とが直接接触しないようにでき、これによりリブ部５と補強板２０の接触部分から異音が発生することを防止でき、また床パン上の騒音が階下に伝わることを防止できる。
【０００７】
また上記リブ部５を長尺に形成し、該リブ部５に上記固着部７をリブ部５の長手方向に間隔を介して複数形成し、上記緩衝材２３を長尺な帯状に形成し、該長尺帯状の緩衝材２３を前記リブ部５の複数の固着部７に亘るように該リブ部５の長手方向に沿って配置することも好ましい。この場合、各固着部７毎に緩衝材２３を貼着する必要がなくて組立性が向上し、またリブ部５の固着部７間の部位にも緩衝材２３を配置できて、該緩衝材２３により固着部７間の部位に振動する補強板２０が直接当たることを防止でき、上記異音の発生や騒音の伝達を一層防止できる。
【０００８】
また床パン本体１の下面にリブ部５として複数の縦リブ部５ａと複数の横リブ部５ｂを交差させて形成して平面視格子状のリブ４とし、該平面視格子状のリブ４の任意の箇所に切欠部８を形成し、該切欠部８を介して平面視格子状のリブ４によって形成される矩形状空間９を連続させ、これら切欠部８を介して連続する複数の矩形状空間９で収納空間１０を形成し、収納空間１０に各矩形状空間９に収納される部分と切欠部８に収納される部分とを連続して一体に設けた床暖房装置２を収納し、上記補強板２０をリブ４の切欠部８を含めた収納空間１０を構成する部位の下側に配設することも好ましい。この場合、収納空間１０に各矩形状空間９に収納される部分と切欠部８に収納される部分とを連続して一体に設けた床暖房装置２を収納するだけで床暖房機能付き床パンを形成でき、また補強板２０で床暖房装置２で発生した熱が床下側に逃げることを防止できて省エネを実現できる。また上記切欠部８を形成することによってリブ補強効果が弱くなった床パン本体１における部位を効果的に補強できる。
【０００９】
また上記リブ部５の固着部７の下面にビス穴１８を形成し、該ビス穴１８に接着剤を注入し、該接着剤を注入したビス穴１８に上記ビス１９を螺着することも好ましい。この場合、接着剤によりビス１９をビス穴１８に強固に固着でき、補強板２０の取付け強度が増す。
【発明の効果】
【００１０】
本発明では、補強板で床パン本体を補強でき、リブ部と補強板の接触部分から異音が発生することを防止でき、また床パン上の騒音が階下に伝わることを防止できる。
【発明を実施するための最良の形態】
【００１１】
本実施形態の床パンは浴室の洗い場の床を形成する床パン本体１の下部に床暖房装置２を配設した床暖房機能付き床パンである。
【００１２】
図１等に示すように床パン本体１は平面視略矩形状（詳しくは長方形）でＦＲＰ等の合成樹脂成形品からなる。なお図１では補強板２０をハッチングで示し、緩衝材２３を補強板２０とは逆向きのハッチングで示し、またリブ４の図示を省略している。
【００１３】
床パン本体１の底部における床パン本体１の短手方向（図１の矢印イに示す方向）の一方の端部（設置時における浴槽側の端部）の中央部には床パン本体１上の水を排水する排水口部３を形成してあり、床パン本体１の底部の上面には図２に示すように排水口部３側に向けて水勾配がついている。
【００１４】
図４に示すように床パン本体１の底部の下面には下方に向けて突出する複数の長尺なリブ部５を床パン本体１と一体に形成している。リブ部５としては床パン本体１の長手方向（図１の矢印ロに示す方向）に長い長尺な複数の縦リブ部５ａと床パン本体１の短手方向に長い長尺な複数の横リブ部５ｂを形成している。これら縦リブ部５ａ及び横リブ部５ｂは床パン本体１の底部の下面における排水口部３を除く範囲に形成してあって平面視で互いに垂直に交差してあり、これにより床パン本体１の底部の下面には前記複数の縦リブ部５ａ及び横リブ部５ｂを一体に連続させた格子状のリブ４が形成されている。つまり床パン本体１の底部の略全面の範囲に平面視格子状のリブ４を形成している。ここでリブ４の下面は後述する脚部取付け部６及び固着部７を除いて全面に亘って水平で且つ同一レベルに位置している。
【００１５】
上記平面視格子状のリブ４の任意の箇所には下方に開口する側面視矩形状の切欠部８を形成してあり、この切欠部８を介して平面視格子状のリブ４によって形成される矩形状空間９を複数連続させ、この切欠部８を介して連続する複数の矩形状空間９ａで上記床暖房装置２を収納する収納空間１０を形成している。
【００１６】
収納空間１０は床パン本体１の中央部に床パン本体１の長手方向に２列、床パン本体１の短手方向に２列、計４つ隣接して設けてあり、各収納空間１０は床パン本体１の長手方向にに並ぶ一列の複数の矩形状空間９からなる。なお収納空間１０を構成する各矩形状空間９ａは平面視形状及び面積が同じであり、またこの各矩形状空間９ａの面積は収納空間１０を構成しない床パン本体１の外周部に位置する矩形状空間９よりも大きくなっている。
【００１７】
上記各収納空間１０を構成する床パン本体１の長手方向に並ぶ矩形状空間９ａ同士は、横リブ部５ｂにおける縦リブ部５ａとの交点部１４間の部位を隔壁部１１とするものであり、上記切欠部８は各隔壁部１１の床パン本体１の短手方向における中央部にのみ横リブ部５ｂを形成しないことで形成されている。従って切欠部８は横リブ部５ｂの下面から床パン本体１の底部にまで至っている。
【００１８】
上記各収納空間１０の夫々に収納される床暖房装置２は、各矩形状空間９に収納される複数の大幅部１２と各切欠部８に収納される小幅部１３とを交互に連続させて一体に設けた面状ヒータからなり、図示しない加熱部が前記小幅部１３を介して連続する全ての大幅部１２に亘って内装されている。この床暖房装置２は上記収納空間１０の下側から収納空間１０内に嵌め込まれ、その上面を床パン本体１の底部の下面に接触させた状態で収納空間１０内に配設されている。
【００１９】
図２に示すように上記床暖房装置２の下面側には略全面に亘ってポリウレタンフォームからなる保温材３１と発泡ポリスチレンからなる断熱材３２を順に積層している。図４、図６に示すように床暖房装置２、保温材３１、断熱材３２には床パン本体１の底部の下面から一体に突出したボス３８を貫通してあって、このボス３８の断熱材３２の下面側に露出する下端面にビス４０で固着した押さえ板３９によって断熱材３２を下面側から押さえることで、床暖房装置２、保温材３１、断熱材３２は収納空間１０内で固定されている。
【００２０】
またリブ４の任意の１つの収納空間１０ａの外縁を構成する部位（図４におけるａ１部）や隣接する収納空間１０同士の隔壁部を構成する部位（図４におけるａ２部）にあっては、図５のように部分的に電線挿通用切欠部２５を形成してあり、これにより各収納空間１０に収納される床暖房装置２の電線２６を電線挿通用切欠部２５を介して隣接する収納空間１０に収納される床暖房装置２に接続したり、収納空間１０ａに収納された床暖房装置２から引き出された電線２６を収納空間１０外の矩形状空間９に引き出せるようにしている。また電線挿通用切欠部２５の上面を構成するリブ部５にはボス状部２７を形成してあって、該ボス状部２７に電線挿通用切欠部２５に挿通した電線２６を覆う保護カバー２９をビス３０で固着できるようになっている。
【００２１】
また平面視格子状のリブ４の多数ある交点部１４（即ち縦リブ部５ａと横リブ部５ｂの交点部１４）のうち、任意の複数の交点部１４は、図８に示すようにリブ部５の厚みよりも大径の筒状部１５としている。これら筒状部１５の内、任意の筒状部１５（図示例では床パン本体１の４隅の筒状部１５）内の下部にはインサートナット１６を固着してあり、これにより脚部取付け部６を形成している。インサートナット１６には図示しない脚部に設けた上下動自在なアジャスタボルトの上端部が螺合されるもので、これにより各脚部取付け部６に脚部を取付けられるようになっており、脚部を介して床パンを床面上に設置する際に脚部のアジャスタボルトを操作して床パン本体１のレベルを調整できるようになっている。
【００２２】
また図４等に示すように上記各縦リブ部５ａの任意の横リブ部５ｂとの交点部１４（即ち縦リブ部５ａの長手方向に間隔を介した複数箇所）はリブ部５の厚みよりも大径となるボス部１７としてあり、具体的には各収納空間１０を構成する縦リブ部５ａの横リブ部５ｂとの交点部１４及び収納空間１０近傍の縦リブ部５ａの横リブ部５ｂとの交点部１４（ただし筒状部１５となった交点部１４は除く）をボス部１７としている。各ボス部１７の下面の中央にはビス穴１８として後述する補強板２０を取付けるのに用いられるビス１９がねじ込まれる下穴を形成してあり、即ち本例では各ボス部１７をビス１９が固着される固着部７としている。また格子状のリブ４の下面における上記筒状部１５及び固着部７は縦リブ部５ａと横リブ部５ｂの交点部１４間の部位よりもやや下方（約３ｍｍ）に突出し一段低くなっている。
【００２３】
図１や図３に示すように上記床パン本体１の複数のリブ部５の下面側には、床パン本体１の平面視中央部に位置して床パン本体１を補強する金属製の補強板２０（具体的には鉄板）が配設される。補強板２０は上記各収納空間１０の下側を覆うもので、本例では一枚で上記４つの収納空間１０の下面側を覆うことが可能な面積及び形状を有する補強板２０を用いる。
【００２４】
補強板２０は矩形状金属板の一辺側端部（即ち組立時における排水口側の端部）の中央部を矩形状に切り欠いて形成したもので、この補強板２０には上記床パン本体１の各ビス穴１８に対応する位置にビス挿通孔２１を穿設してあり、また上記筒状部１５に対応する位置には筒状部用孔２２を穿設している。
【００２５】
上記補強板２０は、各収納空間１０に既述の床暖房装置２、保温材３１、断熱材３２を配設した後に、床パン本体１の任意の複数のリブ部５の下面側に取付けられてリブ部５間に架け渡されるように配置され、これにより床パン本体１の各収納空間１０の下側が補強板２０により覆われると共に、該補強板２０により床パン本体１が補強される。
【００２６】
ここで上記補強板２０の取付ける前においては、床パン本体１の任意のリブ部５の下面に図７に示すようにＥＰＤＭ等からなる長尺帯状の緩衝材２３をリブ部５に沿って予め貼着してあって、これにより補強板２０をリブ部５の下面に取付けた際に、各リブ部５と補強板２０の間に緩衝材２３が介在するようにしてある。
【００２７】
上記長尺帯状の緩衝材２３には固着部７のビス穴１８に対応する位置に予めビス１９を挿通するための貫通孔を形成してあり、この緩衝材２３を収納空間１０を構成する複数の縦リブ部５ａ及び収納空間１０近傍に位置する任意の縦リブ部５ａに夫々貼着してある。なお緩衝材２３は横リブ部５ｂの下面には設けず、また各緩衝材２３は各縦リブ部５ａの長手方向に形成した複数の固着部７に亘って貼着されている。
【００２８】
上記緩衝材２３がリブ４の下面に貼着された床パン本体１に補強板２０を取付けるには、補強板２０を収納空間１０の下方に位置決めして配置し、該補強板２０の上面を各縦リブ部５ａに貼着した緩衝材２３の下面に当接し、この状態で、補強板２０の各ビス挿通孔２１及びこれに連通する緩衝材２３の貫通孔に下方からビス１９を挿通し、該ビス１９を予め接着剤を注入した固着部７のビス穴１８に螺着する。これにより補強板２０は緩衝材２３を介して床パン本体１に取付けられ、しかして床暖房装置２を備えた床パンが形成される。ここで前記接着剤としては例えば株式会社スリーボンド製  ＴｈｒｅｅＢｏｎｄ  １７８３が用いられ、この接着剤により補強板２０を床パン本体１に強固に取付けられ、且つビス１９の緩みを防止できる。
【００２９】
上記のように組立てた床パンにあっては、床パン本体１の短手方向に複数ある長尺帯状の緩衝材２３が床パン本体１の短手方向と平行な補強板２０の対向する２辺に跨った状態で、床パン本体１の複数のリブ部５と補強板２０との間に介在する。また補強板２０の筒状部用孔２２からは床パン本体１の筒状部１５が下面側に露出し、またこの補強板２０の矩形状切欠部分からは床パン本体１の排水口部３が下面側に露出する。
【００３０】
上記床パンにあっては、床パン本体１の複数のリブ部５と補強板２０との間に緩衝材２３が介在するので、この緩衝材２３によりリブ部５と補強板２０の接触部分から異音が発生したり、また床パン上の騒音がリブ４及び補強板２０を介して階下に伝わったりすることを防止できる。
【００３１】
また本例の床パンは、長尺な縦リブ部５ａに固着部７を該縦リブ部５ａの長手方向に一直線状に間隔を介して複数形成し、この縦リブ部５ａの複数の固着部７に亘るように長尺帯状の緩衝材２３を縦リブ部５ａの長手方向に沿って配置したので、上記床パンの組立時においては、緩衝材２３を長手方向の一端を縦リブ部５ａに押さえつけて他端を引張るように伸ばして縦リブ部５ａに沿って貼着するだけで良く、各固着部７毎に緩衝材２３を貼着する必要がなくて手間が省ける。またこの緩衝材２３にはビス１９を挿通するための貫通孔を予め形成しているので、該緩衝材２３を縦リブ部５ａに貼着する際には、緩衝材２３に形成した各貫通孔と床パン本体１の各ビス穴１８の位置合わせを容易に行えるようになっている。更には上記の作業により縦リブ部５ａの固着部７間の部位にも緩衝材２３を貼着できるので、該縦リブ部５ａの固着部７間の部位に振動する補強板２０が直接当たることを防止でき、異音の発生等を一層防止できる。またこの場合、緩衝材２３を必要な箇所にのみ貼着できてコストを抑えられる。
【００３２】
更に本例では格子状のリブ４の下面における筒状部１５及び固着部７を他部よりもやや下方に突出しているため、リブ４の筒状部１５及び固着部７以外の部位の下面と補強板２０の上面はわずかに離れて位置する。従ってリブ４の筒状部１５及び固着部７以外の部位と振動した補強板２０とが直接接触したり、又緩衝材２３を介して間接的に接触したりすることを防止でき、異音の発生等をより一層防止できる。
【００３３】
また上記補強板２０は床暖房装置２を収納した収納空間１０の下側を覆うので、補強板２０により床暖房装置２の熱が床下に逃げることを防止できて省エネを実現できる。またこの補強板２０はリブ４の切欠部８を含めた収納空間１０を構成する部位の下側に配置してあるので、該補強板２０で床パン本体１において切欠部８を形成する等して補強効果が弱くなった部位を補強できる。
【００３４】
なお上記補強板２０は収納空間１０の下側全てを覆うものではなく、中央部のみを覆っているが、補強板２０としては収納空間１０の下側全てを覆う物であっても良い。また上記長尺帯状の緩衝材２３には図７に示すようにビス１９を挿通するための貫通孔を形成しなくても良く、この場合は、床パン本体１のリブ４に補強板２０を取付けるにあたって、床パン本体１のリブ４を見ることで補強板２０床パン本体１への位置決めが行われる。
【図面の簡単な説明】
【００３５】
【図１】本発明の床パンの平面図である。
【図２】図１のＡ―Ａ線断面図である。
【図３】同上の床パンの下面側から見た斜視図である。
【図４】同上の緩衝材及び補強板を取り外した床パンの下面図である。
【図５】図４のａ２部の分解斜視図である。
【図６】図４のａ３部の分解斜視図である。
【図７】図１のａ４部の分解側断面図である。
【図８】同上の筒状部を示す拡大断面図である。
【符号の説明】
【００３６】
１  床パン本体
２  床暖房装置
５  リブ部
７  固着部
８  切欠部
１０  収納空間
１８  ビス穴
１９  ビス
２０  補強板
２３  緩衝材
【図１】
2006348703.tif 000003
【図２】
2006348703.tif 000004
【図３】
2006348703.tif 000005
【図４】
2006348703.tif 000006
【図５】
2006348703.tif 000007
【図６】
2006348703.tif 000008
【図７】
2006348703.tif 000009
【図８】
2006348703.tif 000010